(57)【要約】【課題】洗濯水をドラム内に噴射し安定した洗浄効果のドラム式洗濯機を提供すること。【解決手段】回転ドラム６３と、水槽６２と、モータ６４と、水槽６２底部に接続した循環経路７６と接続された循環ポンプ７５と、水槽６２の前部内面側に装着された環状蓋８２と水槽６２とにより円周状に形成された環状流路８１と、環状蓋８２の内周側に設けられた噴射ガイド板８３と、環状流路８１と循環ポンプ７５を接続する吐出側経路７９と、行程を制御する制御手段８７とを備え、制御手段８７は、洗い行程、すすぎ行程において、循環ポンプ７５を駆動させ、環状蓋８２の内周側円周上に、回転ドラム６３の円中心に対して所定の角度方向に形成された複数の噴射穴８０から、噴射ガイド板８３裏面に湾曲面に形成された噴射ガイド溝８９を伝って、洗濯水を回転ドラム６３内に噴射することにより、安定した洗浄効果、すすぎ効果を発揮することができる。【選択図】図１
2012075679.tif 000002
【特許請求の範囲】
【請求項１】
有底円筒形に形成された回転ドラムと、前記回転ドラムを開口する正面側から底部となる背面側に向けて回転軸方向が水平または水平方向から下向き傾斜となるように内包する水槽と、前記回転ドラムを回転駆動するモータと、前記水槽に接続され前記水槽内の水を循環させる循環経路に接続された循環ポンプと、前記水槽の前部内面側に装着された環状蓋と前記水槽とにより略円周状に形成された環状流路と、前記環状蓋の内周側に設けられた噴射ガイド板と、前記環状流路と前記循環ポンプを接続し前記循環経路の一部を形成する吐出側経路と、前記モータや前記循環ポンプ等を制御して洗い、すすぎ行程を制御する制御手段とを備え、前記回転ドラムの円中心に対し所定の角度方向に形成された複数の噴射穴が前記環状蓋に設けられ、前記制御手段は、洗い行程またはすすぎ工程において前記循環ポンプを駆動させ、前記複数の噴射穴から前記噴射ガイド板裏面に湾曲面が形成された噴射ガイド溝を伝って、前記回転ドラム内に水を噴射することを特徴とするドラム式洗濯機。
【発明の詳細な説明】
【技術分野】
【０００１】
本発明は、洗濯時に水槽底部に溜まった洗濯液を循環ポンプにより、ドラム内の衣類に向かって吐出するようにしたドラム式洗濯機に関するものである。
【背景技術】
【０００２】
従来、この種の洗濯機では、洗濯行程時にドラムの回転による衣類撹拌に加えて、水槽底部に溜まった洗濯液を循環ポンプにより、ドラム内の衣類に向かって吐出させ洗浄効果を高めるようにする構成が提案されてきた（例えば、特許文献１参照）。
【０００３】
図４は、特許文献１に記載された従来の洗濯機の縦断面図を示す。
【０００４】
図４において、ドラム（洗濯槽）２１の前面開口部と対向して、ドラム２１を内包する水受槽（水槽）２３前面にも開口部を設け、水受槽２３の開口部には蓋３１が開閉自在に設けてある。そして、水受槽２３の底部に設けた開口部から水を吸い込む循環ポンプ３７と、この循環ポンプ３７の吐出口側に連結された循環ホース３８と、この循環ホース３８の一端側が連結されドラム２１内に臨む吐出口３９とにより、循環手段が構成されている。
【０００５】
この吐出口３９は、ドラム２１の前面開口部に臨む位置で、かつドラム２１の上方に配設され、ドラム２１の中心部に向けて、水を吐出するようになっており、ドラム２１の回転で内部の衣類を持ち上げ、自重落下させるたたき洗いによる撹拌洗浄を行いつつ、循環ポンプ３７動作により、衣類に洗濯水を噴射させて洗浄効果を高める構成を有している。
【先行技術文献】
【特許文献】
【０００６】
【特許文献１】特開平９−２１５８９３号公報
【発明の概要】
【発明が解決しようとする課題】
【０００７】
しかしながら、前記従来の構成では、上部１か所から洗濯水を吐出させるのであり、衣類がドラム内で自重落下した時点では洗濯水は掛かるが、衣類がドラムと共に上部に向かって回転している時には洗濯水は掛からないため、安定した洗浄効果が得にくいという課題があった。
【０００８】
本発明は、前記従来の課題を解決するもので、回転中のドラム内の衣類に、万遍なく水槽内の水を噴射することにより、洗濯行程において安定した洗浄効果を得ることができるとともに、すすぎ行程においても、安定したすすぎ効果を得ることができるドラム式洗濯機を提供することを目的とする。
【課題を解決するための手段】
【０００９】
前記従来の課題を解決するために本発明のドラム式洗濯機は、有底円筒形に形成された回転ドラムと、前記回転ドラムを開口する正面側から底部となる背面側に向けて回転軸方向が水平または水平方向から下向き傾斜となるように内包する水槽と、前記回転ドラムを回転駆動するモータと、前記水槽に接続され前記水槽内の水を循環させる循環経路に接続された循環ポンプと、前記水槽の前部内面側に装着された環状蓋と前記水槽とにより略円周状に形成された環状流路と、前記環状蓋の内周側に設けられた噴射ガイド板と、前記環状流路と前記循環ポンプを接続し前記循環経路の一部を形成する吐出側経路と、前記モータや前記循環ポンプ等を制御して洗い、すすぎ行程を制御する制御手段とを備え、前記回転ドラムの円中心に対し所定の角度方向に形成された複数の噴射穴が前記環状蓋に設けられ、前記制御手段は、洗い行程またはすすぎ工程において前記循環ポンプを駆動させ、前記複数の噴射穴から前記噴射ガイド板裏面に湾曲面が形成された噴射ガイド溝を伝って、前記回転ドラム内に水を噴射するようにしたものである。
【００１０】
これによって、衣類に万遍なく水槽の水が噴射されることになり、安定した洗浄効果とすすぎ効果を実現することができる。
【発明の効果】
【００１１】
本発明のドラム式洗濯機は、回転中のドラム内の衣類に、万遍なく水槽内の水を噴射することにより、安定した洗浄効果とすすぎ効果を実現することができる。
【図面の簡単な説明】
【００１２】
【図１】本発明の実施の形態に係るドラム式洗濯機の縦断面図
【図２】（ａ）同ドラム式洗濯機の要部（循環水噴射部）拡大断面図、（ｂ）同要部（ねじ締結部）拡大断面図
【図３】同ドラム式洗濯機の背面側から見た要部平面図
【図４】従来の洗濯機の縦断面図
【発明を実施するための形態】
【００１３】
第１の発明は、有底円筒形に形成された回転ドラムと、前記回転ドラムを開口する正面側から底部となる背面側に向けて回転軸方向が水平または水平方向から下向き傾斜となるように内包する水槽と、前記回転ドラムを回転駆動するモータと、前記水槽に接続され前記水槽内の水を循環させる循環経路に接続された循環ポンプと、前記水槽の前部内面側に装着された環状蓋と前記水槽とにより略円周状に形成された環状流路と、前記環状蓋の内周側に設けられた噴射ガイド板と、前記環状流路と前記循環ポンプを接続し前記循環経路の一部を形成する吐出側経路と、前記モータや前記循環ポンプ等を制御して洗い、すすぎ行程を制御する制御手段とを備え、前記回転ドラムの円中心に対し所定の角度方向に形成された複数の噴射穴が前記環状蓋に設けられ、前記制御手段は、洗い行程またはすすぎ工程において前記循環ポンプを駆動させ、前記複数の噴射穴から前記噴射ガイド板裏面に湾曲面が形成された噴射ガイド溝を伝って、前記回転ドラム内に水を噴射することにより、衣類に万遍なく水槽の水が噴射されることになり、洗い行程における安定した洗浄効果と、すすぎ行程における安定したすすぎ効果を実現することができる。
【００１４】
以下、本発明の実施の形態について、図面を参照しながら説明する。なお、この実施の形態によって本発明が限定されるものではない。
【００１５】
（実施の形態１）
図１は、本発明の実施の形態におけるドラム式洗濯機の縦断面図を示すものである。
【００１６】
図１に示すように、洗濯機本体６１の内部に揺動自在に水槽６２が配設され、前記水槽６２内には、回転ドラム６３が回転自在に配設され、回転ドラム６３は、水槽６２の背面に外側より取り付けられたモータ６４により回転駆動される。
【００１７】
また、本発明のドラム式洗濯機は、モード設定や制御プログラムに従い、図１に示すモータ６４、給水系６５、排水系６６、乾燥系６７などを自動制御して少なくとも洗い工程、すすぎ工程、脱水工程、乾燥工程を行う機能を有したいわゆるドラム式洗濯乾燥機を構成している。しかし、乾燥系６７は省略することができる。
【００１８】
給水系６５は、電磁弁（図示せず）の開閉によって実線矢印Ａで示すように水槽６２内部に適時に給水でき、また給水を利用して洗剤収容部７７の洗剤を洗濯水と共に水槽６２内に適時に投入できるようになっている。
【００１９】
排水系６６は、排水弁６８の開閉によって洗い工程終了時、すすぎ工程終了時など必要なときに一点鎖線矢印Ｂで示すように、水槽６２の下部に接続された排水管６９を介し、糸屑類を捕集し外部から取り外し可能の排水フィルタ７０を通過した後、機外に排水できるようになっている。
【００２０】
回転ドラム６３は、略水平方向または水平方向から下向きに傾斜となるように配した回転軸７１により水槽６２の外底部に固着したモータ６４に直結され、回転駆動する事により、前方の扉７２部より回転ドラム６３に投入された衣類の撹拌たたき洗いを行う。
【００２１】
乾燥系６７は、水槽６２および回転ドラム６３内の空気を送風機７３によって図１の破線矢印Ｃで示すように循環させる。乾燥系６７内には、糸屑類を捕集し除塵するフィルタ（図示せず）、除塵後の導入空気を除湿する除湿部（図示せず）、除湿後の空気を加熱して渇いた高温空気とする加熱部（図示せず）等を有する。
【００２２】
また、上記に併せ、洗い準備行程時、洗い行程時、すすぎ行程時など必要に応じ、循環系水路７４にて水槽６２内の水を循環させて洗剤の早期溶け込みや偏りの防止、洗いやすすぎの機能向上を図る機能を有している。
【００２３】
この循環系水路７４は、例えば洗い行程中に、回転速度可変のモータからなる循環ポンプ７５を駆動させることで、水槽６２内の水を、底部の排水管６９を介し、排水フィルタ７０を通過させ、循環経路７６の循環ポンプ７５への流入側経路７８、循環ポンプ７５、および循環経路７６の循環ポンプ７５からの吐出側経路７９を介して、水槽６２前部に形成した複数の噴射穴８０より、矢印Ｄで示す循環水として回転ドラム６３内に噴射する。
【００２４】
ここで、水槽６２前部内面側には、吐出側経路７９の循環ポンプ７５と反対側の接続口８８と連通する環状流路８１が、水槽６２と環状蓋８２により円周状に形成されており、この環状蓋８２の内周側円周上に複数個形成された前述の噴射穴８０より、循環水が回転ドラム６３内に噴射される。環状蓋８２の内周側に設けた噴射ガイド板８３は噴射された循環水を所定の方向、形状に導くガイドの役目をしている。循環水噴射部近傍の詳細については、図２（ａ）、（ｂ）および図３で後述する。
【００２５】
なお、この噴射ガイド板８３は、水槽６２の前部内周側に設けてあるため、回転する回転ドラム６３内の衣類が前部側にはみ出してきて、この噴射ガイド板８３に接触する恐れがある。接触すると、回転摩擦熱により、噴射ガイド板８３表面が損傷し、それにより衣類も損傷する恐れもあることから、衣類損傷防止のために、噴射ガイド板８３は、融点が高く耐熱性に優れていると共に、成形性にも優れているＳＰＳ樹脂（シンジオタックポリスチレン樹脂）で形成されている。
【００２６】
また、扉７２は、水槽６２の開口縁８４に装着したシール材８５を介して密閉し、また開くことができるようにしている。
【００２７】
運転コース等のモードや各種機能の選択は、洗濯機本体６１の前面上部に設けられる操作パネル８６から入力して行い、制御手段８７がその入力情報を基に操作パネル８６上の表示手段（図示せず）で表示して使用者に知らせるとともに、操作パネル８６での入力設定手段（図示せず）により運転開始が設定されると、水槽６２内の水位を検知する水位検知手段（図示せず）等からのデータを入力して、モータ６４、排水弁６８、循環ポンプ７５、給水弁（図示せず）などの動作を制御し、洗濯、すすぎ、脱水、乾燥行程などの運転を行う。
【００２８】
図２（ａ）は、要部（循環水噴射部）拡大断面図、図２（ｂ）は、要部（ねじ締結部）拡大断面図、図３は、背面側から見た要部平面図を示すものである。
【００２９】
図２（ａ）において、洗い行程およびすすぎ行程中に、循環ポンプ７５の動作により、吐出側経路７９を通過してきた水槽６２からの循環水は、水槽６２の前部側へ移っていき、接続口８８から、水槽６２と環状蓋８２により形成された環状流路８１内へ流入される。環状流路８１内へ流入した循環水は、環状蓋８２内周側円周上に複数個形成された噴射穴８０より、噴射ガイド板８３の裏面に湾曲面に形成した噴射ガイド溝８９を伝って、回転ドラム６３内に噴射される。
【００３０】
環状蓋８２内周部および外周部には、２本のリブによりＵ字状溝９０、９１が形成されており、そのＵ字状溝９０、９１にはシール材９２、９３が装着され、環状蓋８２と水槽６２とで形成した環状流路８１からの水漏れを防止している。
【００３１】
図２（ｂ）に示すように、環状蓋８２外周部のシール材９２は、裏面側から環状蓋８２を複数のねじ９５で締め付けることにより、シール材９２でのシール効果を発揮するようになっている。そして、環状蓋８２内周部のシール材９３は、裏面側から噴射ガイド板８３を複数のねじ９４で締め付けて、噴射ガイド板８３で環状蓋８２のＵ字状溝９１裏面を抑えることにより、シール材９３でのシール効果を発揮するようになっている。
【００３２】
図３において、接続口８８から環状流路８１内へ流入した循環する洗濯水は、複数の噴射穴８０から噴射ガイド溝８９を伝って噴射されるが、噴射穴８０および噴射ガイド溝８９の形成方向は、回転ドラム６３と同心の水槽６２の円中心Ｏ方向ではなく、矢印のように所定の角度分ずれて形成してある。
【００３３】
以上のように構成されたドラム式洗濯機について、以下その動作、作用を説明する。
【００３４】
洗い行程において、回転ドラム６３内にて、回転ドラム６３の回転と共に、衣類が、洗剤が溶解した洗濯水の中で回転して洗い動作が始まり、一定時間が経過すると、循環ポンプ７５が駆動を始める。洗い動作中は、水槽６２内の洗濯水は、排水管６９、排水フィルタ７０などの排水系６６の排水弁６８手前までや、循環ポンプ７５への流入側経路７８まで満たされている状態であるが、循環ポンプ７５が駆動を始めると、洗濯水は、吐出側経路７９から接続口８８、環状流路８１を経由して、複数の噴射穴８０より、噴射ガイド板８３の裏面に湾曲面に形成した噴射ガイド溝８９を伝って、回転ドラム６３内に噴射される。
【００３５】
この時、噴射穴８０および噴射ガイド溝８９の形成方向は、水槽６２の円中心方向ではなく、所定の角度分ずれて形成してあるので、洗濯水は、回転ドラム６３内のほぼ全域に亘って噴射されることになり、回転する衣類に万遍なく当たるようになっており、安定した洗浄効果を発揮することができる。
【００３６】
すすぎ行程も、洗い行程と同様の水の循環動作が行なわれ、衣類全体に万遍なくすすぎ水を噴射することにより、衣類に含まれた洗剤分をすばやく除去して、安定したすすぎ効果を発揮することができる。
【００３７】
以上のように本実施の形態においては、循環ポンプを駆動させ、環状蓋の内周側円周上に、回転ドラムの円中心に対して所定の角度方向に形成された複数の噴射穴から、噴射ガイド板裏面に湾曲面に形成された噴射ガイド溝を伝って、洗濯水を回転ドラム内に多方向から噴射することにより、衣類に万遍なく水槽の水が噴射されることになり、洗い行程における安定した洗浄効果と、すすぎ行程における安定したすすぎ効果を実現することができる。
【産業上の利用可能性】
【００３８】
以上のように、本発明にかかるドラム式洗濯機は、洗濯水を、噴射穴から回転ドラム内に、多方向から噴射することにより、安定した洗浄効果とすすぎ効果を得る事が可能となるので、その他の洗濯機等の用途に適用できる。
【符号の説明】
【００３９】
６２  水槽
６３  回転ドラム
６４  モータ
７５  循環ポンプ
７６  循環経路
７９  吐出側経路
８０  噴射穴
８１  環状流路
８２  環状蓋
８３  噴射ガイド板
８７  制御手段
８９  噴射ガイド溝
【図１】
2012075679.tif 000003
【図２】
2012075679.tif 000004
【図３】
2012075679.tif 000005
【図４】
2012075679.tif 000006